(57)【要約】【課題】金券の利用により生じるオペレータの作業の負担を軽減する読取装置およびプログラムを提供する。【解決手段】実施形態の読取装置は、撮像手段と、取込手段と、読取手段と、判断手段と、禁止手段と、を備える。前記撮像手段は、画像を撮像する。前記取込手段は、前記撮像された画像を取り込む。前記読取手段は、前記取り込んだ画像から、現金の代わりに用いる金券の画像を検出するとともに、前記検出した金券の画像から、金券を識別する金券情報を読み取る。前記判断手段は、前記読み取った金券情報が、使用済みの金券を識別する使用済金券情報と一致するか否かを判断する。前記禁止手段は、前記読み取った金券情報が前記使用済金券情報と一致すると判断した場合に、前記読み取った金券情報により識別される金券の利用を禁止する。【選択図】図１
2012038214.tif 000002
【特許請求の範囲】
【請求項１】
画像を撮像する撮像手段と、
前記撮像された画像を取り込む取込手段と、
前記取り込んだ画像から、現金の代わりに用いる金券の画像を検出するとともに、前記検出した金券の画像から、金券を識別する金券情報を読み取る読取手段と、
前記読み取った金券情報が、使用済みの金券を識別する使用済金券情報と一致するか否かを判断する判断手段と、
前記読み取った金券情報が前記使用済金券情報と一致すると判断した場合に、前記読み取った金券情報により識別される金券の利用を禁止する禁止手段と、
を備えたことを特徴とする読取装置。
【請求項２】
前記読取手段は、前記検出した金券の画像から、金券の通し番号を前記金券情報として読み取り、
前記判断手段は、前記金券情報として読み取られた通し番号が、使用済の金券の通し番号である前記使用済金券情報と一致するか否かを判断し、
前記禁止手段は、前記金券情報として読み取られた通し番号が、使用済の金券の通し番号である前記使用済金券情報と一致した場合に、前記読み取った金券情報により識別される金券の利用を禁止することを特徴とする請求項１に記載の読取装置。
【請求項３】
前記読取手段は、前記検出した金券の画像から、金券の有効期限を読み取り、
前記判断手段は、前記読み取った有効期限が現在の日時を過ぎているか否かを判断し、
前記禁止手段は、前記読み取った有効期限が現在の日時を過ぎていると判断した場合に、前記読み取った金券情報により識別される金券の利用を禁止することを特徴とする請求項１または２に記載の読取装置。
【請求項４】
前記読取手段は、前記検出した金券の画像から、金券を利用可能な店舗名を読み取り、
前記判断手段は、前記読み取った店舗名が、前記金券情報により識別される金券が利用された店舗の店舗名と一致するか否かを判断し、
前記禁止手段は、前記読み取った店舗名が、前記金券情報により識別される金券が利用された店舗の店舗名と一致しなかった場合に、前記読み取った金券情報により識別される金券の利用を禁止することを特徴とする請求項１から３のいずれか一に記載の読取装置。
【請求項５】
前記読み取った金券情報が前記使用済金券情報と一致すると判断した場合に、金券の不正使用であることを報知する報知手段をさらに備えたことを特徴とする請求項１から４のいずれか一に記載の読取装置。
【請求項６】
コンピュータを、
撮像手段により撮像された画像を取り込む取込手段と、
前記取り込んだ画像から、現金の代わりに用いる金券の画像を検出するとともに、前記検出した金券の画像から、金券を識別する金券情報を読み取る読取手段と、
前記読み取った金券情報が、使用済みの金券を識別する使用済金券情報と一致するか否かを判断する判断手段と、
前記読み取った金券情報が前記使用済金券情報と一致すると判断した場合に、前記読み取った金券情報により識別される金券の利用を禁止する禁止手段と、
として機能させるためのプログラム。
【発明の詳細な説明】
【技術分野】
【０００１】
本発明の実施形態は、読取装置およびプログラムに関する。
【背景技術】
【０００２】
近年、インストアプロモーション等の一環として、商品を購入した顧客に対して、次回の商品の購入時に行う値引等のサービスを示すサービス情報が印字されたクーポンレシート等の金券を発行する店舗が増えている（特許文献１参照）。顧客は、次回の商品の購入時に、商品の会計業務を行うオペレータに金券を提示することにより、提示した金券に印字されサービス情報が示すサービスを受けることができる。
【発明の概要】
【発明が解決しようとする課題】
【０００３】
ところで、クーポンレシート等の金券は、一般に紙媒体であるため、不正にコピーされて繰り返し使用される、という実態がある。このような金券の不正使用を防止する方法として、商品の会計業務を行うオペレータが、金券に印字された有効期限等の内容を確認しかつ使用済の金券を回収することにより、金券の不正使用を防止する方法もあるが、金券が提示される度に、オペレータが金券の確認および回収を行わなければならず、作業に負担がかかる。
【課題を解決するための手段】
【０００４】
実施形態の読取装置は、撮像手段と、取込手段と、読取手段と、判断手段と、禁止手段と、を備える。前記撮像手段は、画像を撮像する。前記取込手段は、前記撮像された画像を取り込む。前記読取手段は、前記取り込んだ画像から、現金の代わりに用いる金券の画像を検出するとともに、前記検出した金券の画像から、金券を識別する金券情報を読み取る。前記判断手段は、前記読み取った金券情報が、使用済みの金券を識別する使用済金券情報と一致するか否かを判断する。前記禁止手段は、前記読み取った金券情報が前記使用済金券情報と一致すると判断した場合に、前記読み取った金券情報により識別される金券の利用を禁止する。
【図面の簡単な説明】
【０００５】
【図１】図１は、本実施形態にかかるコード読取装置を備えたチェックアウトレーンシステムの構成を概略的に示す斜視図である。
【図２】図２は、コード読取装置の構成を示すブロック図である。
【図３】図３は、商品とカメラの撮像エリアとの関係の一例を示す図である。
【図４】図４は、クーポン券付レシートとカメラの撮像エリアとの関係の一例を示す図である。
【図５】図５は、通し番号特徴テーブルを説明する図である。
【図６】図６は、店舗名特徴テーブルを説明する図である。
【図７】図７は、有効期限特徴テーブルを説明する図である。
【図８】図８は、サービス表示特徴テーブルを説明する図である。
【図９】図９は、取り込んだ画像データの一例を示す図である。
【図１０】図１０は、取り込んだ画像データの一例を示す図である。
【図１１】図１１は、バーコードデータを説明するための図である。
【図１２】図１２は、サービスコードを説明する図である。
【図１３】図１３は、複合コードを説明する図である。
【図１４】図１４は、コード読取装置が行う情報出力処理の手順を示したフローチャートである。
【発明を実施するための形態】
【０００６】
図１は、本実施形態にかかるコード読取装置を備えたチェックアウトレーンシステムの構成を概略的に示す斜視図である。図１に示すように、チェックアウトレーンシステム４は、商品を入れた買い物かごを戴置するためのサッカー台１と、サッカー台１の略中央に立設されたコード読取装置２と、コード読取装置２と図示しない伝送路によって相互通信可能に接続されたＰＯＳ端末３とを備えている。
【０００７】
ＰＯＳ端末３は、客が購入する商品の販売登録を行うものである。図１に示すように、ＰＯＳ端末３には、キーボード３１、オペレータ用の表示器３２、客用の表示器３３、レシート印字等を行うプリンタ３４、現金等を収容するためのドロワ３５等が設けられている。キーボード３１には、商品代金の決済に必要な締めキー等が配設されている。ＰＯＳ端末３は、この種のチェックアウトレーンシステムで標準的に使用されているＰＯＳ端末と同様の構成と機能とを備えている。
【０００８】
コード読取装置２は、商品に貼付され、当該商品を示す商品コードなどの商品情報を表すバーコードを検出し、検出したバーコードが表す商品情報をＰＯＳ端末３に出力するための装置である。図１に示すように、コード読取装置２は、読取窓２１と、キーボード２２と、ディスプレイ２３と、表示ＬＥＤ２４と、ブザー２５とを主に備えている。キーボード２２は、バーコードで登録不能な商品の登録を行う場合に、各種キーによる入力を受付ける。また、キーボード２２は、代金の代わりに用いるクーポン券などの金券の使用を要求するクーポン使用キーを備えている。ディスプレイ２３は、登録された商品の品名や価格等を買い物客に対して表示する。表示ＬＥＤ２４は、商品に貼付されたバーコードから商品情報が読み取られた場合に点灯して、商品情報が読み取られていることをオペレータに報知する。ブザー２５は、商品に貼付されたバーコードが表す商品情報が読み取られた場合にブザー音を鳴らして、オペレータに報知する。読取窓２１が設けられたコード読取装置２の内部には、ＣＣＤ（Charge  Coupled  Device）カメラ等のカメラ２０（図２参照）が内蔵されている。
【０００９】
図２は、コード読取装置の構成を示すブロック図である。コード読取装置２は、ＣＰＵ（Central  Processing  Unit）５０と、ＲＯＭ（Read  Only  Memory）４２と、ＲＡＭ（Random  Access  Memory）４３と、通信Ｉ／Ｆ４４と、出力ポート４６と、キーボードコントローラ４７と、表示コントローラ４８と、カメラコントローラ４９と、メモリ４５とを主に備えており、これらをアドレスバス、データバスなどのバスライン４１で接続して構成されている。
【００１０】
ＣＰＵ５０は、コード読取装置２の動作全体を制御する制御部として機能する。ＲＯＭ４２は、本実施形態にかかるプログラムや、ＣＰＵ５０の動作を制御するその他のプログラム等を記憶している。ＲＡＭ４３は、ＣＰＵ５０がＲＯＭ４２が記憶する各種プログラムを展開する際にワークエリアとして機能するものである。また、ＲＡＭ４３は、カメラ２０によって撮像した画像データなどの各種データを格納する。
【００１１】
通信Ｉ／Ｆ４４は、バスを介して接続されたＰＯＳ端末３（図１参照）とのデータ通信を制御する。出力ポート４６は、ブザー２５と表示ＬＥＤ２４に駆動信号を出力する。キーボードコントローラ４７は、キーボード２２からキー信号を取り込む。表示コントローラ４８は、ディスプレイ２３に対するデータ表示を制御する。カメラコントローラ４９は、カメラ２０の撮像動作を制御する。
【００１２】
カメラ２０は、商品に付されたバーコードまたは二次元コード等のコードシンボルや、商品を購入する際に現金の代わりに用いるクーポン券付レシートなどの金券を撮像する。
【００１３】
次に、本実施形態のコード読取装置２により処理される商品またはクーポン券付レシートとカメラ２０の撮像エリアとの関係について説明する。図３は、商品とカメラの撮像エリアとの関係の一例を示す図である。図中鎖線で囲った領域は、カメラ２０が１フレームで撮像できる領域である撮像エリア７０ａである。図３に示す商品６０には、バーコードラベル６１が貼付されている。
【００１４】
バーコードラベル６１には、商品名「豚バラうす切り」や、商品価格「２００円」や、バーコード６２等が表示されている。バーコード６２には、商品６０の販売データをＰＯＳ端末３で登録処理するのに必要な商品情報として、商品コード等の情報が組み込まれている。また、バーコード６２の下部には、バーコード６２が組み込んでいる商品コード「２１０１２３４５６７８９０」が数字で表示されている。
【００１５】
図４は、クーポン券付レシートとカメラの撮像エリアとの関係の一例を示す図である。図中鎖線で囲った領域は、カメラ２０が１フレームで撮像できる領域である撮像エリア７０ｂである。図４に示すクーポン券付レシート８０には、商品６０を販売した店舗名、販売日時、販売を担当した担当者、販売した商品の商品名等を含む販売データ８０ａに加えて、金券の一例であるクーポン券８０ｂが含まれている。
【００１６】
クーポン券８０ｂとしては、クーポン券８０ｂを識別する金券情報としての通し番号８１、クーポン券８０ｂを利用可能な店舗名８２、クーポン券８０ｂの有効期限８３、およびクーポン券８０ｂにより付与されるサービスを示すサービス表示８４などを含むものであれば良い。
【００１７】
なお、本実施形態では、サービスを示すサービス表示８４がクーポン券８０ｂに印字されている例について説明するが、サービスの内容が組み込まれたバーコードおよび当該バーコードの下部に表示されたサービスコード（例えば、「９９××××××××××××」）を含むクーポン券８０ｂであっても良い。一般的には、サービス内容が組み込まれたバーコードの下部に表示されたサービスコードの「９９」以下の数字が代金の代わりとして用いることができるクーポン券８０ｂの金額を表している。
【００１８】
不揮発性のメモリ４５は、クーポン券８０ｂを識別する通し番号８１と当該通し番号８１の特徴とを対応付けた通し番号特徴テーブルＴ１、クーポン券８０ｂを利用可能な店舗名８２と当該店舗名８２の特徴とを対応付けた店舗名特徴テーブルＴ２、クーポン券８０ｂの有効期限８３と当該有効期限８３の特徴とを対応付けた有効期限特徴テーブルＴ３、およびサービス表示８４が示すサービスの内容であるサービス情報とサービス表示８４の特徴とを対応付けたサービス表示特徴テーブルＴ４を格納している。
【００１９】
図５は、通し番号特徴テーブルを説明する図である。図５に示すように、通し番号特徴テーブルＴ１は、クーポン券８０ｂを識別する通し番号８１と、当該通し番号８１が含む文字やシンボルの特徴を示した通し番号特徴データとを対応付けて記憶している。
【００２０】
より詳細には、通し番号特徴データとは、クーポン券８０ｂに含まれる通し番号８１からＯＣＲ等の文字認識処理によって抽出される情報のことである。即ち、図４に示すように、通し番号「ＮＯ．００７７」と記載されたクーポン券８０ｂについては、図５の通し番号特徴テーブルＴ１において通し番号「ＮＯ．００７７」と対応付けられた通し番号特徴データ「ＮＯ，００７７」という情報が文字認識処理によって抽出される。
【００２１】
図６は、店舗名特徴テーブルを説明する図である。図６に示すように、店舗名特徴テーブルＴ２は、クーポン券８０ｂを利用可能な店舗の店舗名８２と、当該店舗名８２が含む文字やシンボルの特徴を示した店舗名特徴データとを対応付けて記憶している。
【００２２】
より詳細には、店舗名特徴データとは、クーポン券８０ｂに含まれる店舗名８２からＯＣＲ等の文字認識処理によって抽出される情報のことである。即ち、図４に示すように、店舗名「○○スーパー」と記載されたクーポン券８０ｂについては、図６の店舗名特徴テーブルＴ２において店舗名「○○スーパー」と対応付けられた店舗名特徴データ「○，○，ス，ー，パ，ー」という情報が文字認識処理によって抽出される。
【００２３】
図７は、有効期限特徴テーブルを説明する図である。図７に示すように、有効期限特徴テーブルＴ３は、クーポン券８０ｂに含まれる有効期限と、当該有効期限が含む文字やシンボル等の特徴を示した有効期限特徴データとを対応付けて記憶している。
【００２４】
より詳細には、有効期限特徴データとは、クーポン券８０ｂに含まれる有効期限からＯＣＲ等の文字認識処理によって抽出される情報のことである。即ち、図４に示すように、有効期限「有効期限：２０１０年６月１日」と記載されたクーポン券８０ｂについては、図７の有効期限特徴テーブルＴ３において有効期限「２０１０．０６．０１」と対応付けられた有効期限特徴データ「有，効，期，限，２０１０，年，６，月，１，日」という情報が文字認識処理によって抽出される。
【００２５】
図８は、サービス表示特徴テーブルを説明する図である。図８に示すように、サービス表示特徴テーブルＴ４は、サービス表示８４に含まれる文字やシンボルの特徴を示したサービス表示特徴データと、当該サービス表示８４によって付与されるサービスを示すサービス情報とを対応付けて記憶する。
【００２６】
より詳細には、サービス表示特徴データとは、サービス表示８４からＯＣＲ等の文字認識処理によって抽出される情報のことである。即ち、図４に示すように、「１００円引」と記載されたサービス表示８４については、図８のサービス表示特徴テーブルＴ４において、Ｎｏ．１のサービス表示特徴データが示すように、「１００，円，引」という情報が文字認識処理によって抽出される。
【００２７】
サービス情報とは、サービス表示８４から読み取った値引情報やポイント付与情報などのサービスに関する情報を、ＰＯＳ端末３の販売登録処理において使用できるよう英数値に変換した情報のことである。例えば、図８に示すように、サービス表示特徴データ「１００，円，引」に対しては、１００円の値引を意味するサービス情報「−１００ＹＥＮ」が対応付けて記憶されている。
【００２８】
次に、本実施形態のコード読取装置２が有する特徴的な機能について説明する。ＣＰＵ５０は、ＲＡＭ４３に展開されたＲＯＭ４２が記憶するプログラムに従って動作することで、図２に示すように、画像データ取込部５１と、第１読取部５２と、第２読取部５３と、判断部５４、禁止部５５、情報出力部５６と、報知部５７として機能する。
【００２９】
画像データ取込部５１は、カメラコントローラ４９に撮像オン信号を出力してカメラ２０に撮像動作を開始させる。画像データ取込部５１は、カメラ２０が撮像した撮像エリア７０ａ，７０ｂ内の画像データを取り込んで、ＲＡＭ４３の画像ワークエリアに格納する。また、画像データ取込部５１は、第１読取部５２または第２読取部５３の指示を受けた場合に、カメラ２０が撮像した撮像エリア７０ａ，７０ｂ内の画像データを取り込んで、ＲＡＭ４３の画像ワークエリアに格納する。
【００３０】
ここで、画像データ取込部５１が取り込む画像データについて図３、図４、図９、および図１０を用いて説明する。図９および図１０は、取り込んだ画像データの一例を示す図である。
【００３１】
図３に示すように、画像データ取込部５１は、第１読取部５２の指示を受けた場合に、商品６０に貼付されたバーコードラベル６１の画像９０１および当該バーコードラベル６１に表示されたバーコード６２の画像９０２を含む画像データ９００（図９参照）をＲＡＭ４３の画像ワークエリアに格納する。
【００３２】
さらに、画像データ取込部５１は、第２読取部５３の指示を受けた場合に、クーポン券付レシート８０に含まれるクーポン券８０ｂの画像１００１を含む画像データ１０００（図１０参照）をＲＡＭ４３の画像ワークエリアに格納する。なお、クーポン券８０ｂの画像１００１には、通し番号８１、店舗名８２、有効期限８３、およびサービス表示８４が含まれているものとする。
【００３３】
第１読取部５２は、画像データ取込部５１がＲＡＭ４３の画像ワークエリアに格納した画像データ９００から、バーコード６２の画像９０２を検出し、検出したバーコード６２の画像９０２から商品６０の商品情報を読み取るバーコード読取処理を行う。
【００３４】
より詳細には、第１読取部５２は、ＲＡＭ４３の画像ワークエリアに格納された１フレームの画像データ９００（図９参照）を２値化し、２値化したデータ内にバーコード６２に関するデータ領域が存在するか否かを検出する。第１読取部５２は、取り込んだ画像データ９００においてバーコード６２に関するデータ領域を検出した場合には、バーコード６２をデコードして、図１１に示すＪ１〜Ｊ１３のバーコードデータ（ＪＡＮコード）Ｃ１を、商品６０の商品情報として読み取る。図１１は、バーコードデータを説明するための図である。バーコードデータＣ１は、メーカーコードや、商品情報としての商品コードや、チェックデジット等を含んでいる。第１読取部５２は、読み取ったバーコードデータＣ１をＲＡＭ４３のバーコードワークエリアに格納する。
【００３５】
第２読取部５３は、キーボード２２が備えるクーポン使用キーが押下された場合に、画像データ取込部５１に対して画像データ１０００の取り込みを指示する。そして、第２読取部５３は、画像データ取込部５１がＲＡＭ４３の画像ワークエリアに格納した画像データ１０００から、クーポン券８０ｂの画像１００１を検出し、検出したクーポン券８０ｂの画像１００１に含まれるサービス表示８４からサービス情報（図８参照）を読み取る。
【００３６】
より具体的には、第２読取部５３は、ＲＡＭ４３の画像ワークエリアに格納された１フレームの画像データ１０００（図１０参照）に対して、ＯＣＲ（Optical  Character  Reader）等の文字認識処理を行う。第２読取部５３は、クーポン券８０ｂが含む文字や絵やシンボル等の特徴と、サービス表示特徴テーブルＴ４とを照合して、一致度の高いサービス表示特徴データを検出した場合に、クーポン券８０ｂの画像１００１からサービス表示８４を検出したと判断する。
【００３７】
次いで、第２読取部５３は、検出したサービス表示特徴データに該当するサービス情報をサービス表示特徴テーブルＴ４から読み取る。さらに、第２読取部５３は、読み取ったサービス情報をコード化してサービスコードＣ２（図１２参照）を生成し、ＲＡＭ４３のサービスコードワークエリアに格納する。
【００３８】
なお、本実施形態では、第２読取部５３は、文字認識処理によりサービス表示８４を検出し、当該サービス表示８４からサービス情報を読み取っているが、クーポン券８０ｂにサービスの内容が組み込まれたバーコードが含まれている場合には、画像データ１０００を２値化し、２値化したデータ内にサービスの内容が組み込まれたバーコードに関するデータ領域が存在するか否かを検出し、バーコードに関するデータ領域を検出した場合には、バーコードをデコードして、サービスコードＣ２（図１２参照）を、サービス情報として読み取る。
【００３９】
図１２は、サービスコードを説明する図である。図１２に示すように、サービスコードＣ２は、サービスの種類を設定するフラグＦと、値引額や値引率や付与ポイント数など提供されるサービスの値を示すデータＰ１〜Ｐ５を含んでいる。フラグＦは、例えば、１：値引率、２：値引金額、３：ポイントとしてサービスの種類を表すことができる。
【００４０】
また、第２読取部５３は、クーポン券８０ｂの画像１００１から、通し番号８１、店舗名８２、および有効期限８３を読み取る。
【００４１】
より具体的には、第２読取部５３は、ＲＡＭ４３の画像ワークエリアに格納された１フレームの画像データ１０００（図１０参照）に対して、ＯＣＲ等の文字認識処理を行う。第２読取部５３は、クーポン券８０ｂが含む文字や絵やシンボル等の特徴と、各テーブルＴ１〜Ｔ３とを照合して、一致度の高いデータ（通し番号特徴データ、店舗名特徴データ、有効期限特徴データ）を検出した場合に、クーポン券８０ｂの画像１００１から通し番号８１、店舗名８２、および有効期限８３を検出したと判断する。
【００４２】
また、第２読取部５３は、検出したデータ（通し番号特徴データ、店舗名特徴データ、有効期限特徴データ）に該当する通し番号８１、店舗名８２、および有効期限８３を、各テーブルＴ１〜Ｔ３から読み取る。
【００４３】
判断部５４は、第２読取部５３により読み取られた通し番号８１、店舗名８２、および有効期限８３を用いて、クーポン券８０ｂが有効なものであるか否かを判断するものである。
【００４４】
具体的には、判断部５４は、通信Ｉ／Ｆ４４を介してＰＯＳ端末３または店舗内のホスト端末（不図示）から、使用済のクーポン券の通し番号を記憶するマスタファイルを読み込む。次に、判断部５４は、第２読取部５３により読み取られた通し番号８１と、読み込んだマスタファイルに記憶された使用済のクーポン券の通し番号とが一致するか否かを判断する。そして、判断部５４は、第２読取部５３により読み取られた通し番号８１とマスタファイルに記憶された使用済のクーポン券の通し番号とが一致した場合には、クーポン券８０ｂが有効なものでないと判断する。なお、判断部５４は、第２読取部５３により読み取られた通し番号８１がマスタファイルに記憶されていなかった場合、マスタファイルに当該通し番号８１を記憶させるものとする。
【００４５】
また、判断部５４は、第２読取部５３により読み取られた店舗名８２が、クーポン券８０ｂが利用された店舗の店舗名と一致するか否かを判断する。そして、判断部５４は、第２読取部５３により読み取られた店舗名８２が、クーポン券８０ｂが利用された店舗の店舗名と一致しなかった場合、クーポン券８０ｂが有効なものでないと判断する。
【００４６】
また、判断部５４は、第２読取部５３により読み取られた有効期限８３が現在の日時を過ぎているか否かを判断する。そして、判断部５４は、第２読取部５３により読み取られた有効期限８３が現在の日時を過ぎていた場合、クーポン券８０ｂが有効でないと判断する。
【００４７】
禁止部５５は、判断部５４によりクーポン券８０ｂが有効でないと判断された場合、第２読取部５３によってＲＡＭ４３のサービスコードワークエリアに格納されたサービスコードＣ２を消去して、第２読取部５３により読み取られた通し番号８１により識別されるクーポン券８０ｂの利用を禁止する。
【００４８】
情報出力部５６は、第２読取部５３が生成したサービスコードＣ２がＲＡＭ４３に格納されている場合には、第１読取部５２によりＲＡＭ４３に格納されているバーコードデータＣ１にサービスコードＣ２を結合して複合コードＣ３を生成し、これをＰＯＳ端末３に出力する。
【００４９】
図１３は、複合コードを説明する図である。図１３に示すように、複合コードＣ３は、スタートコードで始まり、バーコードデータＣ１と、サービスコードＣ２と、サービスコードＣ２のチェックデジットＣＤと、複合コードＣ３のチェックデジットＣＯＤＥ１２８ＣＤとを含んでおり、ストップコードで終わるコードとなっている。ＰＯＳ端末３は、コード読取装置２から受け取った複合コードＣ３に基づいて、商品６０にサービスコードＣ２が示すサービスを付与した販売登録を行う。
【００５０】
一例として、図４に示すように、クーポン券８０ｂに１００円引きのサービス表示８４が含まれていた場合には、第２読取部５３が読み取ったサービス情報「−１００ＹＥＮ」をデジタル化したサービスコードＣ２が生成される。従って、複合コードＣ３は、商品コード「２１０１２３４５６７８９０」に対応するバーコードデータＣ１と、「−１００ＹＥＮ」に対応するサービスコードＣ２を含むこととなる。ＰＯＳ端末３は、ＰＯＳ端末３または店舗内のホスト端末（不図示）が保持する商品マスタ等を参照して、バーコードデータＣ１に対応する商品６０の価格を読み込む。さらにＰＯＳ端末３は、サービスコードＣ２に基づいて、読み込んだ価格から１００円値引をして、商品の販売登録を行う。
【００５１】
報知部５７は、第１読取部５２によって商品情報が読み取られた場合に、商品情報が読み取られた状態にあることをオペレータに報知するため、バーコードオン信号を出力して表示ＬＥＤ２４を発光させる。また、報知部５７は、情報出力部５６がＰＯＳ端末３に対して複合コードＣ３、或いはバーコードデータＣ１を出力した場合に、バーコードオフ信号を出力して表示ＬＥＤ２４を消灯する。
【００５２】
さらに、報知部５７は、情報出力部５６がＰＯＳ端末３にバーコードデータＣ１を出力した場合には、ブザー２５を駆動して、商品情報のみが読み取られ、サービス情報は読み取られなかったことを示す第１のブザー音（例えば“ピッ”）を鳴らす。
【００５３】
また、報知部５７は、情報出力部５６がＰＯＳ端末３に複合データＣ３を出力した場合には、ブザー２５を駆動して、商品情報およびサービス情報の双方が読み取られたことを示す第２のブザー音（例えば“ピッ、ピッ”）を鳴らす。
【００５４】
さらに、報知部５７は、判断部５４によりクーポン券８０ｂが有効でないと判断された場合に、表示コントローラ４８を介してディスプレイ２３にメッセージを表示して、金券の不正使用であることを報知する。
【００５５】
次に、コード読取装置２が行う商品の販売登録処理について図１４を用いて説明する。図１４は、コード読取装置が行う情報出力処理の手順を示したフローチャートである。
【００５６】
コード読取装置２のＣＰＵ５０は、ＰＯＳ端末３からのコマンドにより業務起動が指令されると、情報出力処理を開始する。画像データ取込部５１は、カメラコントローラ４９に撮像オン信号を出力し、カメラ２０による撮像動作を開始する（ステップＳ１４０１）。画像データ取込部５１は、カメラ２０が撮像した画像データ９００をＲＡＭ４３の画像ワークエリアに取り込む（ステップＳ１４０２）。そして、第１読取部５２は、上述したバーコード読取処理を開始する（ステップＳ１４０３）。
【００５７】
第１読取部５２は、ステップＳ１４０３のバーコード読取処理においてバーコード６２の画像９０２を検出したか否かを判断する（ステップＳ１４０４）。バーコード６２の画像９０２を検出していない場合（ステップＳ１４０４：Ｎｏ）には、第１読取部５２はカメラ２０による撮像を続ける（ステップＳ１４０２）。
【００５８】
バーコード６２の画像９０２を検出している場合（ステップＳ１４０４：Ｙｅｓ）には、報知部５７は、バーコードオン信号を出力して表示ＬＥＤ２４を点灯させ（ステップＳ１４０５）、バーコード６２の画像９０２が検出されたことをオペレータに報知する。次いで、第２読取部５３は、キーボード２２が備えるクーポン使用キーが押下されたか否かを判断する（ステップＳ１４０６）。
【００５９】
次に、画像データ取込部５１は、キーボード２２が備えるクーポン使用キーが押下され（ステップＳ１４０６：Ｙｅｓ）、かつ第２読取部５３からの指示を受けると、カメラ２０が撮像した新たな画像データ１０００をＲＡＭ４３の画像ワークエリアに取り込む（ステップＳ１４０７）。そして、第２読取部５３は、ステップＳ１４０７でＲＡＭ４３の画像ワークエリアに取り込んだ画像データ１０００に対して、サービス情報、通し番号８１、店舗名８２、および有効期限８３の読取処理を開始する（ステップＳ１４０８）。そして、判断部５４は、第２読取部５３により読み取られた通し番号８１、店舗名８２、および有効期限８３を用いて、クーポン券８０ｂが有効なものであるか否かを判断する（ステップＳ１４０９）。
【００６０】
クーポン券８０ｂが有効なものであると判断した場合（ステップＳ１４０９：Ｙｅｓ）には、情報出力部５６は、ＲＡＭ４３のバーコードワークエリアに格納されているバーコードデータＣ１とサービスコードワークエリアに格納されているサービスコードＣ２とから、複合コードＣ３（図１３参照）を生成する（ステップＳ１４１０）。そして、情報出力部５６は、生成した複合コードＣ３を通信Ｉ／Ｆ４４を介してＰＯＳ端末３に伝送出力する（ステップＳ１４１１）。報知部５７は、ブザー２５を駆動して第２のブザー音を鳴らす（ステップＳ１４１２）。さらに、報知部５７は、バーコードオフ信号を出力して商品情報が読み取られていることをオペレータに報知していたＬＥＤ等の表示器を消灯する（ステップＳ１４１３）。
【００６１】
その後、ＰＯＳ端末３からのコマンドにより業務終了が指令されたか否かを判断する（ステップＳ１４１８）。業務終了が指令されていない場合（ステップＳ１４１８：Ｎｏ）には、ステップＳ１４０２に戻って、ステップＳ１４０２〜Ｓ１４１８を全ての商品の販売登録が終了するまで繰り返す。業務終了が指令された場合には（ステップＳ１４１８：Ｙｅｓ）、ＣＰＵ５０は、カメラコントローラ４９に撮像オフ信号を出力し（ステップＳ１４１９）、カメラ２０による撮像動作を終了する。
【００６２】
一方、クーポン券８０ｂが有効なものでないと判断された場合（ステップＳ１４０９：Ｎｏ）、禁止部５５は、第２読取部５３によってＲＡＭ４３のサービスコードワークエリアに格納されたサービスコードＣ２を消去して、第２読取部５３により読み取られた通し番号８１により識別されるクーポン券８０ｂの利用を禁止する。さらに、報知部５７は、ディスプレイ２３にメッセージを表示して、クーポン券８０ｂの不正利用が発生したことを報知する（ステップＳ１４１４）。
【００６３】
次いで、ディスプレイ２３にメッセージが表示された場合およびキーボード２２が備えるクーポン使用キーが押下されなかった場合（ステップＳ１４０６：Ｎｏ）、情報出力部５６は、ＲＡＭ４３のバーコードワークエリアに格納されているバーコードデータＣ１を、通信Ｉ／Ｆ４４を介してＰＯＳ端末３に伝送出力する（ステップＳ１４１５）。報知部５７は、ブザー２５を駆動して第１のブザー音を鳴らす（ステップＳ１４１６）。また、報知部５７は、バーコードオフ信号を出力して商品情報が読み取られていることをオペレータに報知していたＬＥＤ等の表示器を消灯する（ステップＳ１４１７）。その後、ＣＰＵ５０は、ステップＳ１４１８に移行する。
【００６４】
このように本実施形態にかかるコード読取装置２によれば、クーポン券８０ｂの画像１００１を含む画像データ１０００を撮像し、撮像した画像データ１０００を取り込み、取り込んだ画像データ１０００から、クーポン券８０ｂの画像１００１を検出するとともに、検出したクーポン券８０ｂの画像１００１から、通し番号８１を読み取り、読み取った通し番号８１が、使用済みのクーポン券を識別する通し番号と一致するか否かを判断し、読み取った通し番号８１が使用済のクーポン券の通し番号と一致した場合に、読み取った通し番号８１により識別されるクーポン券８０ｂの利用を禁止することにより、オペレータがクーポン券８０ｂの確認や回収を行わなくてもクーポン券８０ｂの不正使用を防止できるので、クーポン券８０ｂの利用により生じるオペレータの作業の負担を軽減することができる。
【００６５】
以上説明したとおり、本実施形態によれば、金券の利用により生じるオペレータの作業の負担を軽減することができる。
【００６６】
なお、本実施形態のコード読取装置２で実行されるプログラムは、ＲＯＭ４２等に予め組み込まれて提供されるが、本実施形態のコード読取装置２で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６７】
さらに、本実施形態のコード読取装置２で実行されるプログラムを、インターネット等のネットワークに接続されたコンピュータ上に格納し、ネットワーク経由でダウンロードさせることにより提供するように構成しても良い。また、本実施形態の〜装置で実行される〜プログラムをインターネット等のネットワーク経由で提供または配布するように構成しても良い。
【符号の説明】
【００６８】
２  コード読取装置
２０  カメラ
５１  画像データ取込部
５２  第１読取部
５３  第２読取部
５４  判断部
５５  禁止部
５６  情報出力部
５７  報知部
８０ｂ  クーポン券
８１  通し番号
８２  店舗名
８３  有効期限
８４  サービス表示
【先行技術文献】
【特許文献】
【００６９】
【特許文献１】特開２００２−３６７０３７公報
【図１】
2012038214.tif 000003
【図２】
2012038214.tif 000004
【図３】
2012038214.tif 000005
【図４】
2012038214.tif 000006
【図５】
2012038214.tif 000007
【図６】
2012038214.tif 000008
【図７】
2012038214.tif 000009
【図８】
2012038214.tif 000010
【図９】
2012038214.tif 000011
【図１０】
2012038214.tif 000012
【図１１】
2012038214.tif 000013
【図１２】
2012038214.tif 000014
【図１３】
2012038214.tif 000015
【図１４】
2012038214.tif 000016